(57)【要約】注射器はチャンバ１２を設けるシリンジ１１と、ストッパ１３と、ビード１５および針ホルダ取付部１６または１６Ａを有するバレル１０を備える。ロッド３１と、ロッド３１に接合するように設けられた係止部材３３、３３Ｂ、３３Ｄと、後端に設置された指フランジ部３７を有するプランジャ３０を備える。円盤状を呈し、バレルに設けられたチャンバを自由に塞ぐことができる栓体４１、４１Ａ、４１Ｂを有するピストンユニット４０、４０Ｅを備える。栓体４１、４１Ａ、４１Ｂに形成され、弾性的に形状を変化し前方へとバレル１０のビード１５を通り、ピストン後退時に、ビード１５に嵌装される係止端４２を備える。栓体に接合し設けられ、プランジャ３０の係止部材と嵌合する係止部材４３、４３Ａ、４３Ｂ、４３Ｃ、４３Ｄを含む。
2007503891.tif 000002
【特許請求の範囲】
【請求項１】
注射針と接合される注射器であって、
チャンバを有するシリンジ、前記シリンジより注射針の方向へ向けて形成されたストッパ、および前記注射針の取付けに用いられる針取付部を有するバレルと、
ロッドおよび前記ロッドと接合可能な係止部材を有し、力を加えることが可能な握り板がロッド後端に設けられているプランジャと、
円盤状に形成され、前記バレルに設けられた前記チャンバを閉鎖可能な栓体、前記栓体に形成され弾性変形し前記バレルのビードを通り後退時に前記バレルの前記ビードに嵌装される係止端、および前記栓体に接合し前記プランジャの係止部材に係止され前記プランジャと連動する係止部材を有するピストンユニットと、を備え、
前記ピストンユニットが前記プランジャによって引き戻されるとき、前記プランジャの係止部材と前記ピストンユニットの係止部材とが引き離されて分断され、前記プランジャを引き戻しても前記ピストンユニットが前記バレルに差し込まれたままとなり、前記バレルの再使用を制限することを特徴とする注射器。
【請求項２】
前記ピストンユニットは均衡筒体を有し、前記均衡筒体は前記栓体に接合し、弾性的に内側へ向かって延伸して均衡当接端を形成し、前記均衡当接縁は前記バレルのチャンバ壁面に当接していることを特徴とする請求項1記載の注射器。
【請求項３】
前記プランジャは、前記ロッドと係止部材との間に分断部を形成することを特徴とする請求項１記載の注射器。
【請求項４】
前記プランジャは差込み回転部を有し、前記ピストンユニットも差込み回転部を有し、前記ピストンユニットの差込み回転部は前記プランジャの差込み回転部と嵌合し、前記プランジャと前記ピストンユニットとの間の差込み回転部の相対軸方向へと回転することを特徴とする請求項１記載の注射器。
【請求項５】
前記プランジャの差込み回転部は複数の凸条から組成され、前記ピストンユニットの差込み回転部は複数の差込み溝から組成されることを特徴とする請求項４記載の注射器。
【請求項６】
前記ピストンユニットは、前記バレルのチャンバを密封するゴムパッキンをさらに設けることを特徴とする請求項１記載の注射器。
【請求項７】
針ホルダをさらに備え、
前記針ホルダは、前記バレルに設けられた針ホルダ取付部を装設し、注射針と接合可能であることを特徴とする請求項１記載の注射器。
【請求項８】
外側筒体をさらに備え、
前記針ホルダは、外側筒体嵌装部を有し、
前記外側筒体は、前記シリンジと、前記バレルの前記シリンジに套接される套接孔と、その後段に設けられた針ホルダ嵌装部をさらに有し、
前記バレルと相対する外側筒体が後方へ向かって引かれる時、前記針ホルダと前記バレルとは連動し、前記針ホルダは前記外側筒体の前記針ホルダ嵌装部に嵌設され、前記注射針を前記外側筒体の前記套接孔内に収容し、前記バレルの前記針ホルダは前記針ホルダ取付部から離脱することを特徴とする請求項７記載の注射器。
【請求項９】
前記針ホルダは外側筒体連結部を有し、前記外側筒体は前記針ホルダ外側筒体連結部を収容可能な針ホルダ取付部を有することを特徴とする請求項８記載の注射器。
【請求項１０】
前記針ホルダは位置決め部を有し、前記外側筒体は前記針ホルダの位置決め部の位置を決定する位置決め部を有することを特徴とする請求項９記載の注射器。
【発明の詳細な説明】
【技術分野】
【０００１】
本発明は医療器械に関し、特に注射器に関する。
【背景技術】
【０００２】
従来の注射器は注射の終了後、再使用される可能性があったため、注射をされた者が感染を受けるケースが起こっていた。ゆえに、多種の異なる構造を有する自己破壊タイプの注射器が生み出されることとなったが、そのうち多くのタイプは設計が複雑で、コストも高めであり、また操作も困難であったことから広く採用されることはなかった。このほか、比較的簡易な設計のタイプは注射の正確性において良好であるとはいえず、また、繰返しの再使用が可能等の重大な問題をもたらしていた。
【０００３】
さらに、従来の注射器は注射の終了後、注射針を保護するものが套設されておらず、使用者が針を突き刺すことがよく見られた。よって、多くの安全タイプの注射器が生み出されたが、その設計の殆どが複雑で、また操作も不便であった。その上、それは一般的な従来の注射器に取り合わせて使用することはできず、全てにおいて新たな注射器の構造を設計しなければならなかった。
【発明の開示】
【発明が解決しようとする課題】
【０００４】
上述の欠点を鑑み、本発明の申請者は苦心の研究を重ね、本発明の注射器を発明するに至った。そして以下の各発明目的を達成することが可能となった。
本発明の主な目的は注射の終了後、バレル内部においてピストンユニットがその位置を保持され、再利用を防止することができる注射器を提供することである。
【０００５】
本発明の別の目的は構成部材の製造を容易にし、組立ておよび操作においても便利となるような注射器を提供することである。
本発明のさらに別の目的は簡易な構造と操作方法により、注射針がバレル内に引き込まれることを実現し、針突き刺しを防止し、安全性が保たれるようにする注射器を提供することである。
【課題を解決するための手段】
【０００６】
上述の目的を実現するために、本発明は注射針と連結可能な注射器を提供する。該注射器はチャンバを設けるシリンジと、シリンジより注射針の方向へ向かって形成されるストッパと、チャンバの内縁に形成されるビードと、注射針の取付けのために用いられる針取付部を有するバレルと、ロッドと、前記ロッドに接合するように設けられた係止部材と、その後端に指で押引するために設けられた握り板を有するプランジャと、円盤状を呈し、バレルのチャンバを自由に塞げるように設けられた栓体を有するピストンユニットと、栓体に形成され、弾性的に変化し前方へ向かってバレルのビードを通ることが可能であり、後退時において、バレルのビードに嵌装される係止端と、ピストンに接合するように設けられ、プランジャの係止部材と嵌合し、プランジャと連動することが可能な係止部材とを備える。ピストンユニットがプランジャによって引き戻される時、プランジャの係止部材とピストンユニットの係止部材は切り離されて分断を生じ、プランジャを引き戻してもピストンユニットはバレルにおいて差し込まれたままであり、よってバレルを再使用することはできなくなる。
【発明を実施するための最良の形態】
【０００７】
本発明の特徴および効果をより良く理解するために、以下に実施の形態を参考とし、図面と合わせて本発明の内容を説明する。
図１より図７は本発明のより好ましい実施の形態であり、注射針６０が接合するように設けることが可能で、該注射針６０は針基６１および該針基６１に設けられた針本体６３を有する注射器を示す。
【０００８】
本発明の注射器は円筒状を呈し、チャンバ１２を設けるシリンジ１１を有するバレル１０と、シリンジ１１から注射針６０の方向へ向かって形成されるストッパ１３と、チャンバ１２内前段に形成されたビード１５と、シリンジ１１前端に設けられた針ホルダ取付部１６と、バレル１１後端に接合するように設けられた握り板１７と、チャンバ１２内の開口に近接するように設けられたプランジャ当接端１８を含む。
【０００９】
前記注射器はバレル１０のチャンバ１２内に挿入されるロッド３１を有するプランジャ３０と、前記ロッドに接合するように設けられた係止部材３３と、前記ロッド３１と係止部材３３との間に形成された分断部３４と、係止部材３３外周に形成された勾止部３５と、ロッド３１前端に位置する当接部３６と、ロッド３１後端に設けられ、指によって押引するための指フランジ３７と、バレル１０のプランジャ当接端１８に当接する離脱ストッパ３８を含む。
【００１０】
プラスチック材料、PEPolyethylene、ポリエチレンによる注射成型であり、テーパ状を呈し、わずかに弾性的変形を行うことができる栓体４１を有するピストンユニット４０と、前記栓体４１の外周に形成され、前方へ向かってバレル１０を通り、後方へ向かってバレル１０のビード１５で係止する係止端４２であって、本実施の形態において、バレル１０のチャンバ１２を密封することが可能な係止端４２と、栓体４１に接合するように設けられ、プランジャ３０の方向に対応する係止部材４３と、係止部材４３内に形成される係止孔４４と、係止孔４４内に形成され、前記プランジャの勾止部３５に勾止される勾止部４５と、前記プランジャ３０の当接部３６と当接する当接部４６を含む。
【００１１】
このほか、ピストンユニット４０は環状筒形を呈し、栓体４１に接合するように設けられ、弾性的に内部へと引き込み、後方へ向かって延伸することができる均衡筒体４８と、均衡筒体４８の外周に形成され、バレル１０のチャンバ１２内壁面に当接するように設けられた均衡当接端４８１を含み、均衡当接端４８１は密閉作用を有し、栓体４１内側に位置するＯリング溝４９を形成し、前方へ向かって押し進められる時、栓体４１をさらに弾性的に変形し易くするものとなる。
【００１２】
座体５１を有する針ホルダ５０と、カバー孔を形成し、バレル１０の針ホルダ取付部１６を套接することができるバレル連結部５２と、注射針６０の針基６１によって套接される針取付部５３と、貫通孔５４と、内周にねじ山を設け、注射針６０と螺合することができる外側筒体連結部５５と、環状溝を形成する位置決め部５６と、三つの弾性片５８によって端部にそれぞれ係止片５９を形成する外側筒体嵌装部５７を含む。
【００１３】
シリンジ７１を有する外側筒体７０と、開口の一端に通じる套接孔７２と、開口のもう一端に設けられ、針ホルダ５０の外側筒体連結部５５を収容する套接孔７４を形成する針ホルダ取付部７３と、凸リング状を呈し、針ホルダ５０の位置決め部をちょうど良い位置に定め、安定させる位置決め部７５と、後端に設けられ、二つの係止片７７、７８とその二者間に介在する係止溝７９によって組成される針ホルダ嵌装部７６を含む。
【００１４】
本実施の形態の操作状況について以下に説明する。
図３は本発明のより好ましい実施の形態の操作状態図であり、薬液を抜き出しているところを示す。押すまたは引くという行程において、前記ピストンユニット４０の均衡筒体４８の均衡当接端４８１は前記バレル１０のチャンバ１２内壁面に当接して設けられることにより、前記ピストンユニット４０は均衡状態を保持することができる。
【００１５】
図４に示すように、プランジャ３０は前方ヘ向かってその当接部３６をピストンユニット４０の当接部４６に押し当て、ピストンユニット４０の係止端４２はバレル１０のビード１５を強制的に押すことにより、わずかに弾性的に変形して通過する。次に、プランジャ３０は底部まで押され、ピストンユニット４０の栓体４１をバレル１０のストッパ１３まで圧接することにより、薬液が注射される。
【００１６】
プランジャ３０を後方へ向かって引き戻す操作をする場合、ピストンユニット４０の係止端４２はバレル１０のビード１５に当接し、プランジャ３０と引き離された係止部材３３とピストンユニット４０をバレル１０のチャンバ１２に係止させるため、プランジャ３０はその分断部３４から引き離されて分離する。こうして図５が示すように、自己破壊状態となるため、再使用することはできない。
【００１７】
さらに、図６に示すように、バレル１０と外側筒体７０は相対し両側に向かって引き伸ばされて移動し、バレル１０は針ホルダ５０と連動し、そのバレル連結部５２を外側筒体７０の針ホルダ取付部７３から離脱させる。最後に、針ホルダ５０の外側筒体嵌装部５７の係止片５９は外側筒体７０の針ホルダ嵌装部７６に嵌装され、注射針６０は針ホルダ５０に接合し外側筒体７０の套接孔７２に収容されるように設けられ、抜け落ちることはなくなる。よって、図７のように、針の突き刺しを防止する効果を有し、安全な注射器としてなる。
【００１８】
本実施の形態より、本発明の構造および作用は、自己破壊作用によりバレルの繰返し使用を防止する目的と、注射針を防護し、針の突き刺しを防止するという操作の安全性の目的を達成することが可能で、まさに一挙両得といえる。
ここで強調しなければならないのは、本発明の注射器は前述の自己破壊タイプの構造に限定されるものではなく、その他各種ゴムパッキン、プランジャ等構成部材による自己破壊タイプの注射器にも本発明の組合せを応用することが可能で、これより本発明は自己破壊、および注射針保護の安全性を同時に備えた注射器としてなる。
【００１９】
上記の実施の形態の他に、本発明は以下の実施を行った。
針ホルダとバレルの装設取り合わせは以下のとおりである。
上記に公開した実施の形態の図８によれば、本発明の針ホルダ５０Ａはバレル前端の針ホルダ取付部１６Ａ内チャンバに装設されるものとしてなり、バレル前端の外部に套接されるものとして限定されない。針ホルダ５０Ａの外側筒体嵌装部５７Ａは針ホルダに一体化するように接合し設けられ、外側筒体の針ホルダ嵌装部に嵌装される。
【００２０】
このほか、針ホルダと注射針の組合せの変化は以下のとおりである。
図９で示すように、注射針の針本体は直接針ホルダ５０Ｂに接合するように設けられ、針ホルダ５０Ｂの外側筒体連結部５５Ｂと外側筒体の針ホルダ取付部７３Ｂを取り合わせた形状とはわずかに異なっている。同様の理由より、注射針の針本体もまた、直接前述の針ホルダ５０Ａに接合するように設けることが可能できる。
【００２１】
このほか、前述の針ホルダの各種タイプにおいて、針ホルダの外側筒体嵌装部もまた、座体と分離し嵌合する構成部材としてなることが可能で、針ホルダと一体となるものとして限定されない。
図１０に示すように、本発明の別の実施の形態は、外側筒体を取り合わせて使用する必要がない注射器としてなることを可能とするものである。わずかに異なるのはピストンユニットが前端に接合し設けられた延伸ロッド４７を有することであり、その押圧状況は図１１に示すとおりである。
【００２２】
前述の各実施の形態において、均衡筒体は図１２に示すように等分に配列された複数の均衡片４８Ａによってなることができる。
また、図１３で示すように、プランジャは差込み回転部３９Ａを有し、それは複数の凸条３９１を有する。さらにピストンユニットもまた、差込み回転部４６Ａを有し、プランジャの差込み回転部３９Ａと嵌合する複数の差込み溝４６１を有する。こうして、プランジャとピストンユニットとの間の相対軸方向へと回転し、プランジャの分断部３４が捻じ切れることを防止することができる。
【００２３】
前述の実施の形態はピストンユニット本体とプランジャの結合についてだが、図１４（Ａ）、（Ｂ）、（Ｃ）と図１５が示すように各種変化させることができる。注射器はゴムパッキン８０を含み、ピストンユニットの栓体４１Ａは平面形円盤状を呈し、別のタイプの係止部材４３Ａとフック４５Ａ、またはさらに別のタイプの係止部材３３Ｂおよび係止部材４３Ｂを含む。
【００２４】
最後に、本発明はさらに以下構造の実施の形態にまで簡易化を行うことができる。
図１６と図１７が示すのは、本発明のさらなる実施の形態であり、ピストンユニット４０Ｅは前述の実施の形態の均衡筒体および均衡当接縁を含まないものとしている。同様に、本実施の形態の各構成部材は図１８（Ａ）、（Ｂ）等で示す局部的変化として差込みリブ４８２およびＯリング溝４９の構造、または図１９（Ａ）、（Ｂ）、（Ｃ）、（Ｄ）と図２０で示す各種変化を加設することができる。それらは、さらに別のタイプのゴムパッキン８０Ａ、８０Ｂ、もうひとつのタイプの係止部材４３Ｃとフック４５Ｃ、平面形の円盤状を呈するピストンユニットの栓体４１Ｂ、または別のタイプの係止部材３３Ｄおよび係止部材４３Ｄである。
【００２５】
上記各実施の形態についての説明より、本発明の特徴は以下に帰する。
１．本発明の注射器は注射の終了後、ピストンユニットとプランジャをバレル内部に差し込まれたままの状態に保持し、繰返しの使用を防止することができる。
２．本発明の注射器のピストンユニットとプランジャの組合せおよび分離構造は簡易であり、尚且つその製造コストが低いものであり、さらに操作が便利等の効果を有する。
【００２６】
３．本発明の注射器はその簡易な構造と操作方法により、注射針がシリンジ内に引き込み戻され、針の突刺しを防止し、安全性を有することができる。
【図面の簡単な説明】
【００２７】
【図１】本発明の好ましい実施の形態の平面分解断面図。
【図２】本発明の好ましい実施の形態の平面組合せ断面図。
【図３】本発明の好ましい実施の形態の操作状態図であり、薬液を抜き出している状態を示す図。
【図４】本発明の好ましい実施の形態の別の操作説明態図であり、プランジャがピストンユニットを底部まで押し出している状態を示す図。
【図５】本発明の好ましい実施の形態の別の操作説明図であり、プランジャが引き戻され、その分断部が切り離されて分断している状態を示す図。
【図６】本発明の好ましい実施の形態の外側筒体が套設されていることを示す説明図。
【図７】本発明の好ましい実施の形態の外側筒体が離脱されていることを示す説明図。
【図８】本発明の別の好ましい実施の形態の平面組合せ断面図であり、針ホルダがバレル内チャンバに取付けられていることを示す図。
【図９】本発明のさらに別の好ましい実施の形態の平面組合せ断面図であり、注射針が直接針ホルダに接合するように設けられていることを示す図。
【図１０】本発明のさらに別の好ましい実施の形態の平面分解断面図であり、ピストンユニットが延伸ロッドを有することを示す図。
【図１１】本発明のさらに別のより好ましい実施の形態の組合せ断面図。
【図１２】本発明のピストンユニットのもう一つの構造図。
【図１３】本発明のピストンユニットとプランジャのもう一つの構造図。
【図１４Ａ】本発明のピストンユニットの構造図。
【図１４Ｂ】本発明のピストンユニットの構造図。
【図１４Ｃ】本発明のピストンユニットの構造図
【図１５】本発明のピストンユニットとプランジャのさらに別の構造図。
【図１６】本発明のさらに簡易化した実施の形態の平面分解図。
【図１７】本発明の本発明のさらに簡易化した実施の形態の平面組合せ図。
【図１８Ａ】本発明のさらに簡易化した実施の形態のピストンユニットのその他の構造図。
【図１８Ｂ】本発明のさらに簡易化した実施の形態のピストンユニットのその他の構造図。
【図１９Ａ】本発明のさらに簡易化した実施の形態のピストンユニットの構造図。
【図１９Ｂ】本発明のさらに簡易化した実施の形態のピストンユニットの構造図。
【図１９Ｃ】本発明のさらに簡易化した実施の形態のピストンユニットの構造図。
【図１９Ｄ】本発明のさらに簡易化した実施の形態のピストンユニットの構造図。
【図２０】本発明のピストンユニットとプランジャのさらに別の構造図。
【符号の説明】
【００２８】
１０：バレル、１１：シリンジ、１２：チャンバ、１３：ストッパ、１５：ビード、１６、１６Ａ：針ホルダ取付部、１７：握り板、１８：プランジャ当接端、３０：プランジャ、３１：ロッド、３３，３３Ｂ、３３Ｄ：係止部材、３４：分断部、３５：勾止部、３６：当接部、３７：指フランジ、３８：離脱ストッパ、３９Ａ：差込み回転部、３９１：凸条、４０、４０Ｅ：ピストンユニット、４１、４１Ａ、４１Ｂ：栓体、４２：係止端、４３、４３Ａ、４３Ｂ、４３Ｃ、４３Ｄ：係止部材、４４：係止孔、４５、４５Ａ、４５Ｃ：勾止部、４６：当接部、４６Ａ：差込み回転部、４６１：差込み溝、４７：延伸ロッド、４８：均衡筒体、４８Ａ：均衡片、４８１：均衡当接端、４８２：差込みリブ、４９：Ｏリング溝、５０、５０Ａ、５０Ｂ：針ホルダ、５１：座体、５２、５５Ｂ：バレル連結部、５３：針取付部、５４：貫通孔、５５、５５Ｂ：外側筒体連結部、５６：位置決め部、５７、５７Ａ：外側筒体嵌装部、５８：弾性片、５９：係止片、６０：注射針、６１：針基、６３：針本体、７０：外側筒体、７１：シリンジ、７２：套接孔、７３、７３Ｂ：針ホルダ取付部、７４：針ホルダ取付孔、７５：位置決め部、７６：針ホルダ嵌装部、７７：係止片、７８：係止片、７９：係止溝、８０、８０Ａ、８０Ｂ：ゴムパッキン
【図１】
2007503891.tif 000003
【図２】
2007503891.tif 000004
【図３】
2007503891.tif 000005
【図４】
2007503891.tif 000006
【図５】
2007503891.tif 000007
【図６】
2007503891.tif 000008
【図７】
2007503891.tif 000009
【図８】
2007503891.tif 000010
【図９】
2007503891.tif 000011
【図１０】
2007503891.tif 000012
【図１１】
2007503891.tif 000013
【図１２】
2007503891.tif 000014
【図１３】
2007503891.tif 000015
【図１４（Ａ）】
2007503891.tif 000016
【図１４（Ｂ）】
2007503891.tif 000017
【図１４（Ｃ）】
2007503891.tif 000018
【図１５】
2007503891.tif 000019
【図１６】
2007503891.tif 000020
【図１７】
2007503891.tif 000021
【図１８（Ａ）】
2007503891.tif 000022
【図１８（Ｂ）】
2007503891.tif 000023
【図１９（Ａ）】
2007503891.tif 000024
【図１９（Ｂ）】
2007503891.tif 000025
【図１９（Ｃ）】
2007503891.tif 000026
【図１９（Ｄ）】
2007503891.tif 000027
【図２０】
2007503891.tif 000028
【国際調査報告】
2007503891.tif 000029
2007503891.tif 000030
2007503891.tif 000031
2007503891.tif 000032